(57)【要約】【課題】テーブルの各構成部材を内装部材の内部にコンパクトに格納できるにもかかわらず、使用状態におけるテーブルの安定性を高める。【解決手段】車両用テーブル構造であって、内装部材（例えばコンソールボックス１０）の内部から外部に取り出した状態に保持可能な支持体２０と、この支持体に対して回動可能に連結されたベース２２と、このベースと支持体とを連結したステー２４と、ベースに設けられたテーブル３０とを備えている。格納状態においては、支持体２０とベース２２とがほぼ一直線状になるように保持され、かつ、これらに対してステー２４とテーブル３０とが重なり合うように位置する。使用状態においては、支持体に対してベースが、テーブルの使用可能な位置に回動し、ステーによってベースをその回動位置で保持する。【選択図】        図１
2006232226.tif 000002
【特許請求の範囲】
【請求項１】
車両の内装部材の内部に収まった格納状態、あるいは内装部材の外部に取り出した使用状態の二態様に切り替え操作することが可能な車両用テーブル構造であって、
内装部材の内部に格納可能で、かつ、内装部材の外部に取り出した状態に保持可能な支持体と、この支持体に対して回動可能に連結されたベースと、このベースと支持体との相互を連結したステーと、ベースに対してその片側面に添わせた状態で設けられたテーブルとを備え、格納状態においては、支持体に対するベースの回動位置が、互いにほぼ一直線状になるように保持され、かつ、これらの支持体およびベースに対してステーとテーブルとが重なり合うように位置し、使用状態においては、内装部材の外部に取り出された支持体に対してベースが、テーブルの使用可能な位置に回動し、ステーによってベースをその回動位置で保持するように構成されている車両用テーブル構造。
【請求項２】
請求項１に記載された車両用テーブル構造であって、
テーブルは、ベースに対してその片側面に添った状態のままで回転可能に結合されている車両用テーブル構造。
【請求項３】
請求項１又は２に記載された車両用テーブル構造であって、
支持体は、内装部材の内部から上方へ引き出すことが可能で、その上端部にベースの下端部が回動可能に連結され、テーブルは、ベースの表面側に添わせた状態で設けられ、ステーは、その両端部がベースの裏面側および支持体に対して個々の連結軸によって回転可能に連結され、かつ、いずれか一方に対してその連結軸が一定の範囲で移動可能となっている車両用テーブル構造。
【発明の詳細な説明】
【技術分野】
【０００１】
本発明は、車両のコンソールボックスやインストルメントパネルといった内装部材の内部に収まった格納状態から外部に取り出した使用状態に切り替え操作することが可能な車両用テーブル構造に関する。
【背景技術】
【０００２】
この種のテーブル構造については、特許文献１に開示された技術が既に知られている。この技術では、コンソールボックスの内部から外部に引き出すことが可能な第１テーブルに対し、第２テーブルが互いに重ね合わせた状態と交差方向へ突出した状態とに回動可能に連結されている。また、第２テーブルが、その先端部において折り畳みテーブルを備えている。そこで、コンソールボックスの外部に引き出された第１テーブルに対して第２テーブルを回動させて交差方向へ突出させ、かつ、第２テーブルの折り畳みテーブルを展開することにより、テーブルを広い状態で使用できる。また、折り畳みテーブルを畳み込むとともに、第２テーブルを第１テーブルに重ね合わせた後、第１テーブルをコンソールボックスに押し込むことで、全体を格納することができる。
【特許文献１】特開平９−２０７６７８号公報
【発明の開示】
【発明が解決しようとする課題】
【０００３】
特許文献１に開示されている技術では、テーブルの各構成部材をコンソールボックス内に格納できる反面、テーブルを使用するときには、第１テーブルに対して第２テーブルが交差方向へ突出した片持ち状態となり、かつ、この第２テーブルの先端部において折り畳みテーブルが展開される。したがって、第２テーブルあるいは折り畳みテーブルに物を載せると、その荷重によっては支持力が不足してテーブルとしての安定性がわるい。
【０００４】
本発明は、このような課題を解決しようとするもので、その目的は、テーブルの各構成部材を内装部材の内部にコンパクトに格納できるにもかかわらず、使用状態におけるテーブルの安定性を高めることである。
【課題を解決するための手段】
【０００５】
本発明は、上記の目的を達成するためのもので、以下のように構成されている。
請求項１に記載の発明は、車両の内装部材の内部に収まった格納状態、あるいは内装部材の外部に取り出した使用状態の二態様に切り替え操作することが可能な車両用テーブル構造であって、内装部材の内部に格納可能で、かつ、内装部材の外部に取り出した状態に保持可能な支持体と、この支持体に対して回動可能に連結されたベースと、このベースと支持体との相互を連結したステーと、ベースに対してその片側面に添わせた状態で設けられたテーブルとを備えている。そして、格納状態においては、支持体に対するベースの回動位置が、互いにほぼ一直線状になるように保持され、かつ、これらの支持体およびベースに対してステーとテーブルとが重なり合うように位置する。また、使用状態においては、内装部材の外部に取り出された支持体に対してベースが、テーブルの使用可能な位置に回動し、ステーによってベースをその回動位置で保持するように構成されている。
【０００６】
この構成によれば、テーブルを使用しないときには、テーブル構造の各構成部材を内装部材の内部にコンパクトに格納して外観を良好に保つことができるにもかかわらず、テーブルの使用状態では、このテーブルに載せられる物の荷重に対する支持力がステーで補助され、テーブルとしての安定性が高い。
【０００７】
請求項２に記載の発明は、請求項１に記載された車両用テーブル構造であって、テーブルは、ベースに対してその片側面に添った状態のままで回転可能に結合されている。
これにより、テーブルの使用状態において、荷重に対する支持力は高いものの、テーブルに加わる水平方向の外力に対しては、テーブルがベースに対して回転することで外力を逃がすことができる。
【０００８】
請求項３に記載の発明は、請求項１又は２に記載された車両用テーブル構造であって、  支持体は、内装部材の内部から上方へ引き出すことが可能で、その上端部にベースの下端部が回動可能に連結されている。テーブルは、ベースの表面側に添わせた状態で設けられている。ステーは、その両端部がベースの裏面側および支持体に対して個々の連結軸によって回転可能に連結され、かつ、いずれか一方に対してその連結軸が一定の範囲で移動可能となっている。
これにより、格納状態あるいは使用状態の切り替え操作を円滑に行うことができるとともに、ステーによるテーブルの支持力補助が適正に得られる。
【発明を実施するための最良の形態】
【０００９】
以下、本発明を実施するための最良の形態を、図面を用いて説明する。
図１は、格納状態の車両用テーブル構造を表した斜視図である。図２は、使用状態の車両用テーブル構造を表した斜視図である。図３は、格納状態の車両用テーブル構造を後方から見た平面図である。これらの図面で示すテーブル構造Ｔは、車両の内装部材であるコンソールボックス１０内に構成された内部空間１２に格納されるようになっている（図１）。この内部空間１２上部の開口からテーブル構造Ｔを外部に引き出すことにより、テーブルとして使用することができる（図２）。テーブル構造Ｔの構成部材は、支持体２０、ベース２２、ステー２４およびテーブル３０に大別される。
【００１０】
支持体２０およびベース２２は、共にプレート形状をしており、支持体２０の上端部とベース２２の下端部とが回動軸２３によって回動可能に連結されている。そして、格納状態における支持体２０とベース２２とは、相互がほぼ一直線状になった回動位置に保たれている。また、支持体２０およびベース２２は、互いの突き合わせ部で連通する凹部２０ａ，２２ａを個々に備えている。これらの凹部２０ａ，２２ａ内にステー２４が位置しているとともに、ステー２４の端部が支持体２０およびベース２２に対し、それぞれの回動軸２６，２７によって回動可能に連結されている。なお、一方の回動軸２６の両端部については、支持体２０における凹部２０ａの両側壁に設けられたガイド溝２０ｂに沿ってスライド可能に支持されている（図３）。
【００１１】
テーブル３０は、支持体２０およびベース２２を合わせた広さをもつプレート形状をしている。したがって、テーブル構造Ｔの格納状態におけるテーブル３０は、支持体２０およびベース２２の両者にわたって重なり合っている。また、この状態におけるステー２４は、テーブル３０の反対側において支持体２０およびベース２２の凹部２０ａ，２２ａに収まっている。テーブル構造Ｔの使用状態におけるテーブル３０は、その約半分の面がベース２２の上面に添った状態で支持され、残る半分の面はベース２２から張り出している（図２）。しかも、テーブル３０はベース２２に対して回動軸３１の軸線回りに回転可能である。
【００１２】
図４は、車両用テーブル構造の格納状態を表した側面図である。図５は、車両用テーブル構造を外部に引き出した状態を表した側面図である。図６は、車両用テーブル構造の使用状態を表した側面図である。これらの図面からも明らかなように、テーブル構造Ｔの格納状態（図３）では、ベース２２およびテーブル３０のそれぞれの端面と、コンソールボックス１０の上面（意匠面）とがほぼ面一となるように揃っている。このため、テーブル構造Ｔを格納した状態でのコンソールボックス１０の外観が、すっきりした状態に保たれる。
【００１３】
テーブル構造Ｔを使用状態にするには、まずコンソールボックス１０の内部空間１２からテーブル構造Ｔを上方へ引き出す（図５）。このとき、ポップアップ機構（図示省略）によってテーブル構造Ｔを内部空間１２上部の開口から僅かに突出させ、その後は手動で引き上げるようにしてもよい。また、テーブル構造Ｔを内部空間１２から外部に取り出すまでの全ストロークを自動で行うことも可能である。なお、図５の状態において、支持体２０の下部は、コンソールボックス１０の内部空間１２側にあるブラケット（図示省略）で支持されている。
【００１４】
つづいて、図５の状態からベース２２を支持体２０に対して回動軸２３の軸線回りに回動させて図６の状態にする。このベース２２の回動に伴い、ベース２２とステー２４とを連結している回動軸２７が図５の位置から図６の位置に移動することとなる。このため、ステー２４は支持体２０およびベース２２に対して個々の回動軸２６，２７の軸線回りに回動し、かつ、回動軸２６はガイド溝２０ｂに沿って下方へスライドする。この回動軸２６がガイド溝２０ｂの下端に達し、そのスライドが規制されることにより、ベース２２はテーブル３０と共にほぼ水平に保持される。つまり、ベース２２およびテーブル３０は、ステー２４を介して支持体２０側に支持されることで、ほぼ水平に保たれる。なお、ベース２２と共に回動するテーブル３０は、支持体２０に重なり合っていた部分がコンソールボックス１０の前方に張り出している。
【００１５】
このように、図２，６で示すテーブル構造Ｔの使用状態では、ベース２２およびテーブル３０が、ステー２４によって支持体２０に支持されるため、テーブル３０上に載せられる物の荷重に対する支持力が高められる。したがって、テーブル３０を安定した状態で使用することができる。また、テーブル３０をベース２２に対して回動軸３１の軸線回りに回転させることのより、このテーブル３０の張り出す方向を変えることができる。図７に、その一例が示されている。
【００１６】
図７は、テーブル３０が張り出す方向の変更例を表した斜視図である。図２で示すテーブル構造Ｔの使用状態において、テーブル３０を回動軸３１の軸線回りに矢印Ａ方向へ90°回転させる。これにより、図７で示すようにテーブル３０は、コンソールボックス１０から右側のシート（図示省略）に向けて張り出すことになる。逆に、テーブル３０を図２の状態から矢印Ｂ方向へ90°回転させると、テーブル３０はコンソールボックス１０から左側のシート（図示省略）に向けて張り出す。このようにテーブル３０の張り出す方向を変えることにより、左右いずれかのシート着座者にとってテーブル３０を使いやすい状態にすることができる。
【００１７】
なお、矢印Ａ，Ｂ両方向へのテーブル３０の回転を所定の角度（例えば90°）で規制するには、ストッパーによる回転停止あるいはディテント機構による回転動作の節度感を利用することができる。また、テーブル３０を矢印Ａ，Ｂ両方向へ360°自由に回転させるようにしてもよい。いずれの構造を採用した場合でも、図７の状態において、例えば矢印Ｃで示す水平方向の外力がテーブル３０に作用すると、テーブル３０は回動軸３１の軸線回りに回転して、その外力を逃がすことができる。したがって、使用状態のテーブル３０に対して、仮に乗員がぶつかっても安全である。
【００１８】
以上は本発明を実施するための最良の形態を図面に関連して説明したが、この実施の形態は本発明の趣旨から逸脱しない範囲で容易に変更または変形できるものである。
例えば、図面で示す実施の形態では、支持体２０およびベース２２に対してステー２４を連結している個々の回動軸２６，２７のうち、支持体２０側の回動軸２６がガイド溝２０ｂに沿ってスライドできる構成となっているが、ベース２２側の回動軸２７をスライドさせる構成に変更することも可能である。この場合、ベース２２の回動に伴って回動軸２７が図５の位置から図６の位置に移動するのと併行して、この回動軸２７がベース２２における凹部２２ａの両側壁に形成されたガイド溝（図示省略）に案内されて後方向（図６の右方向）へスライドする。そして、回動軸２７がガイド溝の端部に到達してスライドが規制されることにより、ベース２２およびテーブル３０がほぼ水平に保持される。
【００１９】
また、コンソールボックス１０の内部からテーブル構造Ｔを引き出す方向については、図面で示す上方向に代えて、左右いずれかの側方向でもよい。この場合、テーブル構造Ｔが引き出された状態での支持体２０の側部を、コンソールボックス１０側のブラケットで支持する。さらに、テーブル構造Ｔを格納する内装部材はコンソールボックス１０に限るものではなく、インストルメントパネルやシートを利用することも可能である。
【図面の簡単な説明】
【００２０】
【図１】格納状態の車両用テーブル構造を表した斜視図
【図２】使用状態の車両用テーブル構造を表した斜視図
【図３】格納状態の車両用テーブル構造を後方から見た平面図
【図４】車両用テーブル構造の格納状態を表した側面図
【図５】車両用テーブル構造を外部に引き出した状態を表した側面図
【図６】車両用テーブル構造の使用状態を表した側面図
【図７】テーブルが張り出す方向の変更例を表した斜視図
【符号の説明】
【００２１】
Ｔ   テーブル構造
１０ コンソールボックス
２０ 支持体
２２ ベース
２４ ステー
３０ テーブル
【図１】
2006232226.tif 000003
【図２】
2006232226.tif 000004
【図３】
2006232226.tif 000005
【図４】
2006232226.tif 000006
【図５】
2006232226.tif 000007
【図６】
2006232226.tif 000008
【図７】
2006232226.tif 000009